(57)【特許請求の範囲】
【請求項１】
調理装置の本体ケースにグリル及びコンロを設け、グリル庫の前面開口部に対しグリル扉を開閉可能に装着し、前記本体ケースの前面に対し前記グリル扉の側方に隣接するように操作部を設けたグリル及びコンロを備えた調理装置において、前記グリル扉の前面化粧板と操作部の前面化粧板とをそれぞれの化粧板端面で隣接し、前記グリル扉は熱強化ガラス板と、該熱強化ガラス板の前面に取り付けられた透明の前面化粧板とにより構成され、前記熱強化ガラス板と前面化粧板は少なくともグリル扉の左右両側辺において嵌合構造により接合されているグリル及びコンロを備えた調理装置。
【請求項２】
請求項１において、前記化粧板の少なくとも左右両側辺の裏面側に凹溝状段差部を形成し、前記熱強化ガラス板の少なくとも左右両側辺の前面側に前記凹溝状段差部に係合される凸条部を形成したグリル及びコンロを備えた調理装置。
【請求項３】
請求項２において、前記化粧板の裏面には水平方向に延びる溝を上下方向に繰り返し形成した波状部が形成され、この波状部の左右両側端縁は前記熱強化ガラス板の凸条部により遮蔽されているグリル及びコンロを備えた調理装置。
【請求項４】
調理装置の本体ケースにグリル及びコンロを設け、グリル庫の前面開口部に対しグリル扉を開閉可能に装着し、前記本体ケースの前面に対し前記グリル扉の側方に隣接するように操作部を設けたグリル及びコンロを備えた調理装置において、前記グリル扉の前面化粧板と操作部の前面化粧板とをそれぞれの化粧板端面で隣接し、前記操作部は調理装置の本体ケースの前面の基板と、該基板の前面に取り付けられた透明の化粧板とにより構成され、前記基板と化粧板は少なくともグリル扉側の側辺において嵌合構造により接合されているグリル及びコンロを備えた調理装置。
【請求項５】
請求項４において、前記化粧板の少なくともグリル扉側の側辺の裏面側に凹溝状段差部を形成し、前記基板の少なくともグリル扉側の側辺の前面側に前記凹溝状段差部に係合される凸条部を形成したグリル及びコンロを備えた調理装置。
【請求項６】
請求項５において、前記化粧板の裏面には水平方向に延びる溝を上下方向に繰り返し形成した波状部が形成され、この波状部のグリル扉側の端縁は前記基板の凸条部により遮蔽されているグリル及びコンロを備えた調理装置。
【発明の詳細な説明】
【０００１】
【発明の属する技術分野】
本発明は、グリル及びコンロを備えた調理装置に係り、詳しくはグリル扉の側方に操作部を備えたグリル及びコンロを備えた調理装置に関するものである。
【０００２】
【従来の技術】
従来、グリル及びコンロを備えた調理装置にあっては、グリル及びコンロの点火ボタンを操作するようにした操作部が、グリル扉の左右両側又は片側に設けられている。この操作部には化粧板が取り付けられ、この化粧板に形成した穴から前記グリルとコンロの点火ボタンを露出するようにしていた。又、グリル扉の左右両端面と化粧板のグリル扉側の端面には、該端面を遮蔽するためのカバーが設けられている。
【０００３】
【発明が解決しようとする課題】
ところが、上記従来の調理装置は、グリル扉と化粧板との境界部に前記カバーの前端面の板厚が二重線となって露出することになる。このため、グリル扉と操作部との区画が明確となり、グリル扉と化粧板との分離感が強くなって調理装置の前面全体の一体感が損なわれ、意匠性を向上することが難しいという問題があった。
【０００４】
又、前記操作部は表面が単一色になり意匠性を向上することができないという問題があった。前記操作部の表面に印刷や蒸着等により各種の模様を施すことも考えられるが、操作部の表面は食品や油分等により汚損され易く、繰り返し清掃していると模様が色褪せて外観が損なわれるという問題が生じる。
【０００５】
本発明は、上記従来の技術に存する問題点を解消して、グリル扉の前面及びコンロの操作部の前面の一体感を向上し、意匠性を高めることができる調理装置を提供することにある。
【０００６】
又、本発明の別の目的は上記目的に加えて、グリル扉を構成する内側の熱強化ガラス板と、このガラス板の前面に取り付けられた透明の化粧板との間に食品から生じる油分等の異物が侵入するのを防止することができる調理装置を提供することにある。
【０００７】
さらに、本発明の別の目的は上記目的に加えて、透明化粧板を通して観察される凹凸模様あるいは縞模様等の模様の退化を防止することができる調理装置を提供することにある。
【０００８】
【課題を解決するための手段】
上記問題点を解決するために、請求項１に記載の発明は、調理装置の本体ケースにグリル及びコンロを設け、グリル庫の前面開口部に対しグリル扉を開閉可能に装着し、前記本体ケースの前面に対し前記グリル扉の側方に隣接するように操作部を設けたグリル及びコンロを備えた調理装置において、前記グリル扉の前面化粧板と操作部の前面化粧板とをそれぞれの化粧板端面で隣接し、前記グリル扉は熱強化ガラス板と、該熱強化ガラス板の前面に取り付けられた透明の前面化粧板とにより構成され、前記熱強化ガラス板と前面化粧板は少なくともグリル扉の左右両側辺において嵌合構造により接合されていることを要旨とする。
【００１０】
請求項２に記載の発明は、請求項１において、前記化粧板の少なくとも左右両側辺の裏面側に凹溝状段差部を形成し、前記熱強化ガラス板の少なくとも左右両側辺の前面側に前記凹溝状段差部に係合される凸条部を形成したことを要旨とする。
【００１１】
請求項３に記載の発明は、請求項２において、前記化粧板の裏面には水平方向に延びる溝を上下方向に繰り返し形成した波状部が形成され、この波状部の左右両側端縁は前記熱強化ガラス板の凸条部により遮蔽されていることを要旨とする。
【００１２】
請求項４に記載の発明は、調理装置の本体ケースにグリル及びコンロを設け、グリル庫の前面開口部に対しグリル扉を開閉可能に装着し、前記本体ケースの前面に対し前記グリル扉の側方に隣接するように操作部を設けたグリル及びコンロを備えた調理装置において、前記グリル扉の前面化粧板と操作部の前面化粧板とをそれぞれの化粧板端面で隣接し、前記操作部は調理装置の本体ケースの前面の基板と、該基板の前面に取り付けられた透明の化粧板とにより構成され、前記基板と化粧板は少なくともグリル扉側の側辺において嵌合構造により接合されていることを要旨とする。
【００１３】
請求項５に記載の発明は、請求項４において、前記化粧板の少なくともグリル扉側の側辺の裏面側に凹溝状段差部を形成し、前記基板の少なくともグリル扉側の側辺の前面側に前記凹溝状段差部に係合される凸条部を形成したことを要旨とする。
【００１４】
請求項６に記載の発明は、請求項５において、前記化粧板の裏面には水平方向に延びる溝を上下方向に繰り返し形成した波状部が形成され、この波状部のグリル扉側の端縁は前記基板の凸条部により遮蔽されていることを要旨とする。
【００１５】
【発明の実施の形態】
以下、本発明を具体化した調理装置の一実施形態を図２〜図７に従って説明する。
【００１６】
図７に示すように、調理装置１１の本体ケース１２には左右１対のコンロ１３，１４が設けられている。本体ケース１２の中央部にはグリル１５が設けられている。前記本体ケース１２の右側前面には前記コンロ１３，１４の操作部１７が設けられている。この操作部１７にはコンロ１３，１４の点火ボタン１８，１９が設けられ、その上部には火力を数字で段階的に表示するための火力表示部２０，２１が設けられている。前記本体ケース１２の左側前面にはグリル１５の操作部２２が設けられ、この操作部２２には前記グリル１５の点火ボタン２３が設けられている。又、操作部２２には後述するグリル皿２７の繰り出しボタン２４が設けられ、その上部にはグリルの火力を数字で段階的に表示するための火力表示部２５が設けられている。
【００１７】
図５に示すように、前記グリル１５のグリル庫２６にはグリル皿２７が繰り出し機構２８によって格納位置と左方前方の繰り出し位置との間で切り換え可能に配設されている。グリル皿２７は図示しない案内機構により前後方向に案内移動されるようになっている。前記グリル庫２６の前端開口部３３にはグリル扉３４が閉鎖位置の起立状態と開放位置の伏状態との間で切り換え可能に装着されている。このグリル扉３４は下端部にヒンジ機構３５を備えている。このヒンジ機構３５は本体ケース１２の底板に支持した支持軸３６と、この支持軸３６に９０度の範囲内で往復回動可能に装着された側面コ字状の左右一対のレバー３７とを備えている。又、このヒンジ機構３５は前記レバー３７を支持軸３６を中心に時計回り方向へ回動付勢してグリル扉３４を常には閉鎖位置に保持する付勢手段としてのバネ３８を備えている。前記レバー３７の上方には熱強化ガラス板３９が取り付けられ、この熱強化ガラス板３９の前面には透明の前面化粧板４０が接合されている。熱強化ガラス板３９と化粧板４０は複数のビス４１，４２によって連結されている。図１，５に示すように前記熱強化ガラス板３９の四辺部には凸条部３９ａが形成され、前記化粧板４０の裏面側の四辺部には前記凸条部３９ａと対応して凹溝状段差部４０ａが設けられ、この凹溝状段差部４０ａに凸条部３９ａが嵌合されている。
【００１８】
前記化粧板４０の裏面には水平方向に延びる溝を上下方向に繰り返し平行に形成した波状部４０ｂが設けられている。なお、後述する視認窓４４に対応する部位４０ｃには波状部４０ｂは施されていない。前記熱強化ガラス板３９の前面には中央部の視認窓４４分を残して例えば青色或いは紫色等の着色部４３が形成されている。この視認窓４４は透明で調理具合いを確認するためのものである。なお、前記着色部は化粧板４０の波状部４０ｂが施してある部位に施してもよい。
【００１９】
図３〜７に示すように、前記本体ケース１２の前面の上下辺及び左右辺には枠部１２ａ，１２ｂ，１２ｃ，１２ｄが形成され、この枠部１２ａ〜１２ｄに囲われて前面凹部１２ｅが形成されている。図３，４に示すように、前記枠部１２ａ〜１２ｄには取付板１６が溶接等により取り付けられている。この取付板１６には前記操作部１７が設けられている。この操作部１７は前記取付板１６の前面に図示しないビスあるいは溶接等により固定された樹脂材或いは金属材製の基板５１と、この基板５１の前面に対し所定の間隔をおいて接合固定された透明樹脂材或いは透明ガラス製の前面化粧板５２とにより構成されている。前記基板５１の四辺部には凸条部５１ａが形成され、前記化粧板５２の裏面側の四辺部には前記凸条部５１ａと対応して凹溝状段差部５２ａが設けられ、この凹溝状段差部５２ａに凸条部５１ａを嵌合している。前記基板５１と化粧板５２との間には面発光体５３が介装されており、化粧板５２は前記面発光体５３とともに前記基板５１のネジ孔５１ｂに螺合されるビス５４により取り付けられている。前記化粧板５２の裏面側には前記波状部４０ｂと同様の波状部５２ｂが形成されている。さらに、前記基板５１、化粧板５２、面発光体５３には前記点火ボタン１８，１９を外部へ露出するための穴５５が形成されている。前記面発光体５３には前記火力表示部２０，２１が設けられ、コンロ１３，１４の火力の表示を数値で行うようにしている。この火力表示部２０，２１に対応する化粧板５２の対応部位には前記波状部５２ｂは施されていない。
【００２０】
グリルの操作部２２は、前述したコンロの操作部１７と同様に構成されているので、詳しい説明を省略する。なお、基板５１は取付板１６を介して本体ケース１２に取り付けたが、取付板１６を無くして直接本体ケース１２に基板５１を取り付けてもよい。
【００２１】
図１，５，７に示すように前記グリル扉３４の化粧板４０には開放用の把手が設けられておらず、化粧板４０の前面は面一の平面となっている。前記操作部１７，２２の化粧板５２，５２´もそれぞれ面一の平面となっていて、三つの化粧板４０、５２，５２´の前面は、同一平面上に位置するようになっている。又、図４に示すようにグリル扉３４の右端面と、操作部１７の左端面とは互いに相手の端面を閉鎖するように対向している。グリル扉３４の化粧板４０の右端面と、操作部１７の化粧板５２の左端面も対向している。前記グリル扉３４及び操作部１７は前記前面凹部１２ｅに収納され、枠部１２ａ〜１２ｄの前面と化粧板４０，５２，５２´の前面はほぼ同一面となっている。さらに、前記点火ボタン１８，１９，２３の前端面は、化粧板５２，５２´の前面とほぼ同一平面上に位置するようにしている。
【００２２】
前記化粧板４０，５２，５２´に設けた波状部４０ｂ，５２ｂはそれぞれ同様に構成されている。又、前記熱強化ガラス板３９の着色部４３と、面発光体５３の前面の着色部は例えばブルーや紫等の色彩のなかから一種の色彩に統一されている。これにより操作部１７，２２とグリル扉３４のそれぞれの化粧板が同じ色彩となっている。なお、操作部１７，２２において、面発光体５３を無くして化粧板５２，５２´の裏面をグリル扉３４の色彩と同じ色彩にしてもよい。
【００２３】
図５に示すように、グリル扉３４の上下両端面と前記前端開口部３３の上下の辺との間には空気の出入りする隙間Ｇが設けられている。この隙間Ｇの制約を受けてグリル扉３４の上下方向の高さ寸法が設定されている。この高さ寸法と同じになるように前記操作部１７，２２の高さ寸法が設定されている。このため、図３に示すように操作部１７，２２の上下両端面と前記枠部１２ａ，１２ｂとの間には前記隙間Ｇと同様の隙間Ｇが形成されている。この隙間Ｇは図４に示すように操作部１７の右端面と前記枠部１２ｃとの間、操作部２２の左端面と枠部１２ｄとの間にも形成されている。従って、前記隙間Ｇは図６及び図７に示すように枠部１２ａ〜１２ｄの内側に同じ幅で全体として横長４角枠状に形成されている。
【００２４】
次に、前記のように構成した調理装置の動作について説明する。
図６，７に示す操作部１７に設けた点火ボタン１８又は点火ボタン１９は、公知のプッシュプッシュ機構により構成されている。点火ボタン１８，１９，２３の一回目の押圧により該ボタンは化粧板５２，５２´の前面から突出し、ニ回目の押圧操作により同一面となる。点火ボタン１８，１９，２３が突出した状態で回動操作することによりグリル及びコンロのバーナーのオン・オフ及び火力調節が行われる。鍋等に収容した食品の調理作業が終わると、再度点火ボタン１８又は１９がプッシュされてコンロ１３又はコンロ１４が消火され、点火ボタン１８，１９は化粧板と同一面に収納される。
【００２５】
一方、前記操作部２２の繰り出しボタン２４をＯＮすると、図５に示す前記繰り出し機構２８が作動されてグリル皿２７が前方に繰り出される。このグリル皿２７の前進動作により図５に示すグリル扉３４がバネ３８の付勢力に抗してグリル扉３４を支持軸３６を中心に反時計回り方向に回動しながら左方前方に繰り出される。繰り出し位置に移動されたグリル皿２７の上部に食品を載せて、前記繰り出しボタン２４を再度ＯＮすると、グリル皿２７が繰り出し位置からグリル庫内の格納位置に切り換えられる。このときグリル扉３４は蓄勢されていたバネ３８の蓄勢力によって開放位置から閉鎖位置に切り換えられる。この状態で点火ボタン２３をＯＮすると、グリル１５の加熱部が作動されて、グリル皿２７上の食品が加熱調理される。調理された後、前記繰り出しボタン２４を押圧すると、繰り出し機構２８が作動され、グリル皿２７が前方に繰り出されグリル扉３４が開放されてグリル皿２７が繰り出し位置に切り換えられ、食品の取り出しが行われる。
【００２６】
上記実施形態の調理装置によれば、以下のような特徴を得ることができる。
（１）上記実施形態では、図４に示すようにグリル扉３４の右端面と、操作部１７の左端面とが互いに相手の端面を閉鎖するように対向している。又、グリル扉３４の化粧板４０の右端面と、操作部１７の化粧板５２の左端面も対向している。このため、両者の間には、従来用いられていたカバー等の前端面が縦方向に延びる二重線となって表れることはなく、グリル扉３４と操作部１７の前面側の境界部の分離感が無くなり、グリル扉３４と操作部１７との一体感が向上し、その意匠性が高められる。
【００２７】
（２）上記実施形態では、グリル扉３４をヒンジ機構３５により閉鎖位置と開放位置との間で位置切り換え可能に装着した。又、グリル庫２６内に収容されたグリル皿２７を、繰り出しボタン２４を操作することにより繰り出し機構２８によって格納位置から前端開口部３３の前方の繰り出し位置に位置切り換え可能に装着した。そして、グリル皿２７の繰り出し方向の移動動作を利用してグリル扉３４をバネ３８の付勢力に抗して閉鎖位置から開放位置で切り換えるようにした。さらに、グリル扉３４の前面にその開放用の把手を省略した。従って、グリル扉３４の前面の平面性を向上し、グリル扉３４の意匠性を高めることができる。
【００２８】
（３）上記実施形態では、グリル扉３４を熱強化ガラス板３９と化粧板４０により構成し、化粧板４０の裏面側に波状部４０ｂを形成した。このため、外部から化粧板４０を通って熱強化ガラス板３９の着色部４３に入射される外光の波状部４０ｂにおける屈折率の違いによって、前方から化粧板４０を見た場合、熱強化ガラス板３９の着色部４３の色彩が垂直方向に変化する縞模様として現れ、意匠性を向上することができる。
【００２９】
（４）上記実施形態では、前面が平面となっているグリル扉３４と、前面が平面となっている操作部１７及び操作部２２の化粧板５２，５２´とを同じ垂直平面内に配置するようにした。このためグリル１５の化粧板４０と操作部１７，２２の化粧板５２，５２´の前面全体の平面性を向上し、意匠性を高めることができる。
【００３０】
（５）上記実施形態では、熱強化ガラス板３９の外周縁に対し前方に突出する凸条部３９ａを設け、前記化粧板４０の裏面側外周縁に対し凹溝状段差部４０ａを設け、この凹溝状段差部４０ａに前記凸条部３９ａを嵌合するようにした。このため、化粧板４０と熱強化ガラス板３９とを単に接合するものに比べて、例え化粧板４０と熱強化ガラス板３９の操作部側の側面が露出していても、その接合部から化粧板４０と熱強化ガラス板３９との間に食品から生じる油分が入り難い。特に化粧板４０の裏面に波状部４０ｂを形成した場合、その波状部４０ｂの水平方向の端縁を外部から遮蔽して、熱強化ガラス板３９と化粧板４０の接触界面から波状部４０ｂの溝の内部に食品から生じる油分等の異物が侵入して汚損されるのを防止することができる。又、波状部４０ｂの露出による外観上の弊害をなくして意匠性を向上することもできる。さらに、化粧板４０を前方から見た場合、前記熱強化ガラス板３９の凸条部３９ａの前端縁は化粧板４０の外周縁によって覆われているので、二重枠線となって表れることはなく、この点からもグリル扉３４の意匠性を向上することができる。
【００３１】
（６）上記実施形態では、前記操作部１７，２２の基板５１と化粧板５２，５２´の間に位置するように面発光体５３を介在させた。このため、点火ボタン１８，１９，２３の操作と連動させて面発光体５３を発光させることによって、操作部１７，２２の化粧板５２，５２´に対し光を照射することができ、点火ボタン１８，１９，２３の状態の確認を素早く確実に行うことができる。
【００３２】
（７）上記実施形態では、前記化粧板５２，５２´の裏面側に波状部５２ｂを設けた。このため、面発光体５３が作動されない場合にあっては、外部から化粧板５２，５２´を透過して面発光体５３に照射される外光の波状部５２ｂにおける屈折率の違いによって、前方から化粧板５２，５２´を見た場合、面発光体５３に着色された色彩が垂直方向に変化する縞模様として現れる。従って、意匠性を向上することができる。又、前記面発光体５３が作動される場合にあっては、発光によって前記波状部５２ｂの縞模様がくっきりと現れるので、意匠性を向上することができる。
【００３３】
（８）上記実施形態では、前記化粧板４０，５２，５２´に設けた波状部４０ｂ，５２ｂをそれぞれ同様に構成した。又、前記熱強化ガラス板３９の着色部４３と、面発光体５３の前面の着色部、或いは面発光体５３を採用しない場合、化粧板５２，５２´の裏面の着色部を例えばブルーや紫等の色彩のなかから一種の色彩に統一した。このため、調理装置の前面全体に一種類の色彩の縞模様が現れるので、意匠性を向上することができる。
【００３４】
（９）上記実施形態では、基板５１の外周縁に対し前方に突出する凸条部５１ａを設け、前記化粧板５２の裏面側外周縁に対し凹溝状段差部５２ａを設け、この凹溝状段差部５２ａに前記凸条部５１ａを嵌合するようにした。このため、化粧板４０の裏面に波状部４０ｂを形成した場合、その波状部５２ｂの水平方向の端縁を外部から遮蔽して、波状部５２ｂの溝の内部に食品から生じる油分等が侵入して汚損されるのを防止することができる。又、波状部５２ｂの露出による外観上の弊害をなくして意匠性を向上することもできる。さらに、化粧板５２を前方から見た場合、前記基板５１の凸条部５１ａの前端縁は化粧板５２の外周縁によって覆われているので、二重枠線となって表れることはなく、この点からも操作部１７，２２の意匠性を向上することができる。
【００３５】
（１０）上記実施形態では、基板５１に対し化粧板５２をビス５４によって取り付けるようにしたので、化粧板５２の交換作業をビス５４を操作することによって容易に行うことができる。又、グリル扉３４の化粧板４０の交換作業もビス４１，４２を操作することによって容易に行うことができる。このため種類の異なる化粧板５２，５２´，４０を交互に取り換えることにより操作部１７，２２、グリル扉３４の意匠を使用者の好みに応じて容易に変更することができる。
【００３６】
なお、本実施形態は以下のように変更してもよい。
○  化粧板４０の裏面に波状部４０ｂが形成されていない場合において、上辺と下辺の嵌合構造を省略してもよい。
【００３７】
○  図１に示すグリル扉３４の前記熱強化ガラス板３９と化粧板４０の外周縁の嵌合構造において、上辺と下辺の凸条部３９ａと凹溝状段差部４０ａを省略してもよい。この理由は波状部４０ｂの端縁の波部が上辺と下辺には現れていないので、それを遮蔽する必要がないからである。
【００３８】
○  図３，図４に示すように、操作部１７の上辺、下辺及び右辺は前記枠部１２ａ，１２ｂ，１２ｃによって覆われているので、基板５１の凸条部５１ａを省略してもよい。しかし、図４において操作部１７のグリル扉３４側である左辺はグリル扉３４が前方に開放されたとき外部に露出するので、少なくともこの操作部１７の左辺と操作部２２のグリル扉３４側である右辺は凸条部５１ａによって遮蔽する必要がある。
【００３９】
○  図８に示すように、取付板１６にフランジ部１６ａを折り曲げ形成し、そのフランジ部１６ａの背面に発光体保持基板６１をビス６２により締め付け固定する。この発光体保持基板６１の前面に実線又は鎖線で示すように液晶発光体、バックライト付液晶パネル、有機エレクトロ・ルミネッセンス発光体又はネオン管等の発光体６３を取り付ける。基板５１と化粧板５２との間には発光手段は介在されておらず、化粧板５２の外周縁に裏面側に突出形成した凸突部５２ｃに対し平板状の基板５１の外周縁を係合している。
【００４０】
この別例では、発光体６３が発光することにより化粧板５２に光が照射され、波状部５２ｂの作用により縦方向に色調が変化する縞模様を表出することができる。
【００４１】
○  前記グリル皿２７の繰り出し位置への移動に伴って前記グリル扉３４を前方の開放位置に移動するようにしてもよい。
○  前記化粧板４０と化粧板５２，５２´に形成した波状部４０ｂと波状部５２ｂに代えて、多数の穴を例えばほぼ同じピッチで形成してもよい。これらの凹凸模様の形状は適宜に変更することが可能である。
【００４２】
○  前記波状部４０ｂ，５２ｂの個々の溝は横断面が半円弧状以外に他に例えばＶ溝、台形溝であってもよい。又、溝を水平方向に向かって波状に形成してもよい。
【００４３】
次に、前記実施形態から把握される請求項以外の技術思想について以下に説明する。
（技術思想１）  請求項１〜６のいずれか一項において、操作部は発光手段を備え、該発光手段は、前記基板と化粧板との間又は調理装置の本体ケースの前面に取り付けられた発光体保持基板に設けられているグリル及びコンロを備えた調理装置。
【００４４】
（技術思想２）  技術思想１において、前記発光手段は、液晶発光体、バックライト付液晶パネル、有機エレクトロ・ルミネッセンス発光体又はネオン管であるグリル及びコンロを備えた調理装置。
【００４５】
（技術思想３）  グリル庫の前面開口部に対しグリル扉を開閉可能に装着し、前記グリル庫の前面に対し前記グリル扉の側方に隣接するようにグリルの操作部を設け、前記グリル扉の開閉用の把手を省略し、グリル庫内のグリル皿を格納位置から繰り出し位置へ移動可能に収容したグリル。
【００４６】
（技術思想４）  技術思想３において、前記グリル扉は熱強化ガラス板と、該熱強化ガラス板の前面に取り付けられた透明の化粧板とにより構成され、前記熱強化ガラス板と化粧板は少なくともグリル扉の左右両側辺において嵌合構造により接合されているグリル。
【００４７】
（技術思想５）  技術思想４において、前記化粧板の少なくとも左右両側辺の裏面側に凹溝状段差部を形成し、前記熱強化ガラス板の少なくとも左右両側辺の前面側に前記凹溝状段差部に係合される凸条部を形成したグリル。
【００４８】
（技術思想６）  技術思想５において、前記化粧板の裏面には水平方向に延びる溝を上下方向に繰り返し形成した波状部が形成され、この波状部の左右両側端縁は前記熱強化ガラス板の凸条部により遮蔽されているグリル。
【００４９】
（技術思想７）  調理装置の本体ケースにグリル及びコンロを設け、グリル庫の前面開口部に対しグリル扉を開閉可能に装着し、前記本体ケースの前面に対し前記グリル扉の側方に隣接するように操作部を設け、前記操作部は調理装置の本体ケースの前面の取付板に取り付けられた基板と、該基板の前面に取り付けられた透明の化粧板とにより構成され、前記基板と化粧板は少なくともグリル扉側の側辺において嵌合構造により接合されているグリル及びコンロを備えた調理装置。
【００５０】
（技術思想８）  技術思想７において、前記化粧板の少なくともグリル扉側の側辺の裏面側に凹溝状段差部を形成し、前記基板の少なくともグリル扉側の側辺の前面側に前記凹溝状段差部に係合される凸条部を形成したグリル及びコンロを備えた調理装置。
【００５１】
（技術思想９）  技術思想８において、前記化粧板の裏面には水平方向に延びる溝を上下方向に繰り返し形成した波状部が形成され、この波状部のグリル扉側の端縁は前記基板の凸条部により遮蔽されているグリル及びコンロを備えた調理装置。
【００５２】
（技術思想１０）  技術思想７〜９のいずれか一つにおいて、前記化粧板は基板に対し交換可能に取り付けられているグリル及びコンロを備えた調理装置。
（技術思想１１）  技術思想７〜１０のいずれか一つにおいて、前記操作部は発光手段を備えているグリル及びコンロを備えた調理装置。
【００５３】
【発明の効果】
以上詳述したように、請求項１〜６のいずれか一項に記載の発明は、グリル扉の前面化粧板及びコンロの操作部の前面化粧板の境界部の一体感を向上し、意匠性を高めることができる。
【００５４】
請求項１記載の発明は、熱強化ガラス板と、化粧板との接触界面への異物の侵入を防止することができる。
請求項２記載の発明は、請求項１記載の発明の効果に加えて、簡単な嵌合構造により熱強化ガラス板と化粧板の接触界面への異物の侵入を防止することができる。
【００５５】
請求項３記載の発明は、請求項２に記載の発明の効果に加えて、透明化粧板を通して観察される縞模様の模様の退化を防止することができるとともに、意匠性を向上することができる。
【００５６】
請求項４記載の発明は、基板と化粧板の接触界面への異物の侵入を防止することができる。
請求項５記載の発明は、請求項４記載の発明の効果に加えて、簡単な嵌合構造により基板と化粧板との接触界面への異物の侵入を防止することができる。
【００５７】
請求項６記載の発明は、請求項５に記載の発明の効果に加えて、透明化粧板を通して観察される縞模様の模様の退化を防止することができるとともに、意匠性を向上することができる。
【図面の簡単な説明】
【図１】  この発明の調理装置のグリル扉の分解斜視図。
【図２】  この発明の調理装置の操作部を示す分解斜視図。
【図３】  操作部の縦断面図。
【図４】  操作部の水平断面図。
【図５】  グリルの部分縦断面図。
【図６】  調理装置の正面図。
【図７】  調理装置の斜視図。
【図８】  この発明の別例を示す操作部の縦断面図。
【符号の説明】
１３，１４…コンロ、１５…グリル、１６…取付板、１７，２２…操作部、２６…グリル庫、３４…グリル扉、３９…熱強化ガラス板、３９ａ，５１ａ…凸条部、４０，５２…化粧板、４０ｂ，５２ｂ…波状部、５１…基板。
【図１】
0003721344.tif 000002
【図２】
0003721344.tif 000003
【図３】
0003721344.tif 000004
【図４】
0003721344.tif 000005
【図５】
0003721344.tif 000006
【図６】
0003721344.tif 000007
【図７】
0003721344.tif 000008
【図８】
0003721344.tif 000009